(57)【要約】【課題】  通信装置の平置き、縦置き、壁掛けを一つのパーツで対応できる。【解決手段】  （１）ヒンジ部を介して第二板体と第三板体とを第一板体上に重ね合わせ、穴及び切り欠き部を介して保持部を係止して通信装置の一壁面に取り付ける平置き設置、（２）ヒンジ部を介して第二板体と第三板体とを第一板体上に重ね合わ、穴及び切り欠き部を介して保持部を係止して通信装置の一壁面に取り付け、かつ吊下用の穴を介して固定具により吊り下げる壁掛け設置、（３）穴及び切り欠き部を介して第一板体を保持部を係止して通信装置の一壁面に取り付けるとともにヒンジ部を介して第三板体を一壁面に隣接する別壁面上に重ね合わせ、第三板体に設けた設置用の足部により通信装置を挟持して据え付ける縦置き設置、の何れかを１つの据付部材で行う。【選択図】    図１０
2006237353.tif 000002
【特許請求の範囲】
【請求項１】
箱形形状の通信装置に組み付けられて前記通信装置を据え付ける据付装置において、
前記箱形形状の通信装置の一壁面に取り付けられる複数の保持部と、
前記保持部に係止される穴および切り欠き部と設置用の足部と吊下用の穴とを設けた第一板体と、前記保持部に係止される穴を設けるとともに前記第一板体にヒンジ部を介して連絡する第二板体と、前記保持部に係止される穴および切り欠き部と吊下用の穴付きの設置用の足部とを設けるとともに前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた設置用の足部により前記通信装置を挟持して前記通信装置を据え付ける前記通信装置の縦置き設置、
の何れかの設置で組み付けられて前記通信装置を据え付けることを特徴とする通信装置の据付装置。
【請求項２】
箱形形状の通信装置に組み付けられて前記通信装置を据え付ける据付装置において、
前記箱形形状の通信装置の一壁面に取り付けられる複数の保持部および記設置用の足部と、
前記保持部に係止される穴および切り欠き部と吊下用の穴とを設けた第一板体と、前記保持部に係止される穴および切り欠き部を設けるとともに前記第一板体にヒンジ部を介して連絡する第二板体と、前記保持部に係止される穴および切り欠き部と吊下用の穴付きの設置用の足部と切り起こし片とを設けるとともに前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた切り起こし片により前記通信装置を挟持して前記通信装置を据え付ける前記通信装置の縦置き設置、
の何れかの設置で組み付けられて前記通信装置を据え付けることを特徴とする通信装置の据付装置。
【請求項３】
箱形形状の通信装置に組み付けられて前記通信装置を据え付ける据付装置において、
前記通信装置の一壁面に取り付けられる複数の保持部および記設置用の足部と、
前記保持部に係止される穴および切り欠き部と吊下用の穴とを設けた第一板体と、前記保持部に係止される穴および切り欠き部を設けるとともに前記第一板体にヒンジ部を介して連絡する第二板体と、前記保持部に係止される穴および切り欠き部と吊下用の穴付きの設置用の足部と切り起こし片とを設けるとともに前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた切り起こし片を前記通信装置の他壁面の縁部に設けたスリットに挿入して前記通信装置を据え付ける前記通信装置の縦置き設置、
の何れかの設置で組み付けられて前記通信装置を据え付けることを特徴とする通信装置の据付装置。
【請求項４】
箱形形状の通信装置に組み付けられて前記通信装置を据え付ける据付装置において、
前記通信装置の一壁面に取り付けられる複数の保持部および記設置用の足部と、
前記保持部に係止される穴および切り欠き部と吊下用の穴とを設けた第一板体と、前記保持部に係止される穴および切り欠き部を設けるとともに前記第一板体にヒンジ部を介して連絡する第二板体と、前記保持部に係止される穴および切り欠き部と吊下用の穴付きの設置用の足部と切り起こし片とを設けるとともに前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた切り起こし片を前記通信装置前の一側面と隣接する他壁面に設けた２つのスリットに挿入して前記通信装置を据え付ける前記通信装置の縦置き設置、
の何れかの設置で組み付けられて前記通信装置を据え付けることを特徴とする通信装置の据付装置。
【請求項５】
箱形形状の通信装置に組み付けられて前記通信装置を据え付ける据付装置において、
前記通信装置の一壁面に取り付けられる複数の保持部および記設置用の足部と、
前記保持部に係止される穴および切り欠き部と吊下用の穴とを設けた第一板体と、前記保持部に係止される穴および切り欠き部を設けるとともに前記第一板体にヒンジ部を介して連絡する第二板体と、前記保持部に係止される穴を設け、ヒンジ部の折り曲げ時に切り起こし片を突出するように前記保持部に係止される切り欠き部と吊下用の穴付きの設置用の足部とを切り込み部とヒンジ部とを介して連接するように設け、かつ前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた切り起こし片を前記通信装置の一側面と隣接する他壁面に設けた２つのスリットに挿入して前記通信装置を据え付ける前記通信装置の縦置き設置、
の何れかの設置で組み付けられて前記通信装置を据え付けることを特徴とする通信装置の据付装置。
【請求項６】
一壁面に複数の保持部を設けた箱形形状の通信装置と、
前記保持部に係止される穴および切り欠き部と設置用の足部と吊下用の穴とを設けた第一板体と、前記保持部に係止される穴を設けるとともに前記第一板体にヒンジ部を介して連絡する第二板体と、前記保持部に係止される穴および切り欠き部と吊下用の穴付きの設置用の足部とを設けるとともに前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた設置用の足部により前記通信装置を挟持して前記通信装置を据え付る前記通信装置の縦置き設置、
の何れかの設置で組み付けられて前記通信装置を据え付けることを特徴とする通信装置の据付構造。
【請求項７】
一壁面に複数の保持部および記設置用の足部を設けた箱形形状の通信装置と、
前記保持部に係止される穴および切り欠き部と吊下用の穴とを設けた第一板体と、前記保持部に係止される穴および切り欠き部を設けるとともに前記第一板体にヒンジ部を介して連絡する第二板体と、前記保持部に係止される穴および切り欠き部と吊下用の穴付きの設置用の足部と切り起こし片とを設けるとともに前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた切り起こし片により前記通信装置を挟持して前記通信装置を据え付ける前記通信装置の縦置き設置、
の何れかの設置で組み付けられて前記通信装置を据え付けることを特徴とする通信装置の据付構造。
【請求項８】
一壁面に複数の保持部および記設置用の足部を設けるとともに前記一側面と隣接する他壁面の縁部に複数のスリットを設けた箱形形状の通信装置と、
前記保持部に係止される穴および切り欠き部と吊下用の穴とを設けた第一板体と、前記保持部に係止される穴および切り欠き部を設けるとともに前記第一板体にヒンジ部を介して連絡する第二板体と、前記保持部に係止される穴および切り欠き部と吊下用の穴付きの設置用の足部と切り起こし片とを設けるとともに前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた切り起こし片を前記通信装置のスリットに挿入して前記通信装置を据え付ける前記通信装置の縦置き設置、
の何れかの設置で組み付けられて前記通信装置を据え付けることを特徴とする通信装置の据付構造。
【請求項９】
一壁面に複数の保持部および記設置用の足部を設けるとともに前記一側面と隣接する他壁面に２つのスリットを設けた箱形形状の通信装置と、
前記保持部に係止される穴および切り欠き部と吊下用の穴とを設けた第一板体と、前記保持部に係止される穴および切り欠き部を設けるとともに前記第一板体にヒンジ部を介して連絡する第二板体と、前記保持部に係止される穴および切り欠き部と吊下用の穴付きの設置用の足部と切り起こし片とを設けるとともに前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた切り起こし片を前記通信装置のスリットに挿入して前記通信装置を据え付ける前記通信装置の縦置き設置、
の何れかの設置で組み付けられて前記通信装置を据え付けることを特徴とする通信装置の据付構造。
【請求項１０】
一壁面に複数の保持部および記設置用の足部を設けるとともに前記一側面と隣接する他壁面に２つのスリットを設けた箱形形状の通信装置と、
前記保持部に係止される穴および切り欠き部と吊下用の穴とを設けた第一板体と、前記保持部に係止される穴および切り欠き部を設けるとともに前記第一板体にヒンジ部を介して連絡する第二板体と、前記保持部に係止される穴を設け、ヒンジ部の折り曲げ時に切り起こし片を突出するように前記保持部に係止される切り欠き部と吊下用の穴付きの設置用の足部とを切り込み部とヒンジ部とを介して連接するように設け、かつ前記第二板体にヒンジ部を介して連絡する第三板体とを備えた据付部材とを備え、
前記据付部材は、前記通信装置に対し、
（１）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記設置用の足部を介して前記通信装置を載置する前記通信装置の平置き設置、
（２）前記ヒンジ部を介して前記第二板体と前記第三板体とを前記第一板体上に重ね合わせるとともに前記穴および切り欠き部を介して前記保持部を係止して前記通信装置の一壁面に取り付け、かつ前記吊下用の穴を介して固定具により前記通信装置を壁面に吊り下げる前記通信装置の壁掛け設置、
または、
（３）前記穴および切り欠き部を介して前記第一板体を前記保持部を係止して前記通信装置の一壁面に取り付けるとともに前記ヒンジ部を介して前記第三板体を前記一壁面に隣接する別壁面上に重ね合わせ、かつ前記第三板体に設けた切り起こし片を前記通信装置のスリットに挿入して前記通信装置を据え付ける前記通信装置の縦置き設置、
の何れかの設置で組み付けられて前記通信装置を据え付けることを特徴とする通信装置の据付構造。
【請求項１１】
請求項６ないし請求項１０の何れか１項に記載の通信装置の据付構造において、
前記保持部は、前記穴に係止される２つの穴用保持部と、前記切り欠き部に係止される２つの切り欠き用保持部とを有し、
前記穴用保持部は、前記一壁面に固定される設置部と、前記設置部の両側部に設けた舌部とを有し、前記舌部は、下面側に前記設置部に向かって下る階段状の段差部を設け、
前記切り欠き部用保持部は、前記一壁面に固定される設置部と、前記設置部の一側部に設けた舌部とを有し、前記舌部は、下面側に前記設置部に向かって下る階段状の段差部を設け、かつ、前記穴用保持部の一方を挟んで前記舌部を対向して一直線上に配置されている
ことを特徴とする通信装置の据付構造。
【請求項１２】
請求項６項に記載の通信装置の据付構造において、
前記第一板体は、矩形状の板体本体に、十文字を為す前記保持部に係止される２つの穴と、前記板体本体の一端側に位置する前記穴の一方と対向して前記板体本体の両側に形成された矩形状の切り欠き部と、前記穴の他方側に形成された前記ヒンジ部と、前記ヒンジ部の両側から前記板体本体の他端側に向かって切り込まれた切り込み部と、前記板体本体の一端側の２隅部に設けた吊下用の穴と、前記板体本体の他端側の２隅部に設けた設置用の足部とを形成して成る
ことを特徴とする通信装置の据付構造。
【請求項１３】
請求項６項に記載の通信装置の据付構造において、
前記第二板体は、矩形状の板形状を為し、前記第一板体との境目に設けた前記ヒンジ部を介して前記第一板体上に重ねられた時に前記第一板体の穴上に重なる位置に前記第一板体の穴より大きい十文字を為す穴を形成して成る
ことを特徴とする通信装置の据付構造。
【請求項１４】
請求項６に記載の通信装置の据付構造において、
前記第三板体は、矩形状の板形状を為し、前記第一板体と前記第二板体との境目に設けた前記ヒンジ部を介して前記第一板体上に重ねられた時に前記第一板体の穴および切り欠き部上に重なる位置に前記第一板体の穴より大きい十文字を為す穴および前記第一板体の切り欠き部の開口部側を矩形状に欠落した切り欠き部を形成するとともに４隅部に吊下用の穴付きの設置用の足部を形成して成る
ことを特徴とする通信装置の据付構造。
【請求項１５】
請求項８ないし請求項１３の何れか１項に記載の通信装置の据付構造において、
前記第一板体は、矩形状の板体本体に、十文字を為す前記保持部に係止される２つの穴と、前記板体本体の一端側に位置する前記穴の一方と対向して前記板体本体の両側に形成された矩形状の切り欠き部と、前記穴の他方側に形成された前記ヒンジ部と、前記ヒンジ部の両側から前記板体本体の他端側に向かって切り込まれた切り込み部と、前記板体本体の一端側の２隅部に設けた吊下用の穴とを形成して成る
ことを特徴とする通信装置の据付構造。
【請求項１６】
請求項７ないし請求項１０の何れか１項に記載の通信装置の据付構造において、
前記第二板体は、矩形状の板形状を為し、前記第一板体との境目に設けた前記ヒンジ部を介して前記第一板体上に重ねられた時に前記第一板体の穴および切り欠き部上に重なる位置に前記第一板体の穴より大きい十文字を為す穴および前記第一板体の切り欠き部の３倍の幅を有する切り欠き部を形成して成る
ことを特徴とする通信装置の据付構造。
【請求項１７】
請求項７に記載の通信装置の据付構造において、
前記第三板体は、矩形状の板形状を為し、前記第一板体と前記第二板体との境目に設けた前記ヒンジ部を介して前記第一板体上に重ねられた時に前記第一板体の穴、切り欠き部および吊下用の穴上に重なる位置に前記第一板体の穴より大きい十文字を為す穴、前記第一板体の切り欠き部の開口部側を矩形状に欠落した切り欠き部を形成するとともに２隅部に吊下用の穴付きの設置用の足部を形成し、かつ前記通信装置の幅と同間隔で４つの切り起こし片を形成して成る
ことを特徴とする通信装置の据付構造。
【請求項１８】
請求項８に記載の通信装置の据付構造において、
前記第三板体は、矩形状の板形状を為し、前記第一板体と前記第二板体との境目に設けた前記ヒンジ部を介して前記第一板体上に重ねられた時に前記第一板体の穴、切り欠き部および吊下用の穴上に重なる位置に前記第一板体の穴より大きい十文字を為す穴、前記第一板体の切り欠き部の開口部側を矩形状に欠落した切り欠き部を形成するとともに２隅部に吊下用の穴付きの設置用の足部を形成し、かつ前記通信装置のスリットに差し込まれる４つの切り起こし片を形成して成る
ことを特徴とする通信装置の据付構造。
【請求項１９】
請求項９に記載の通信装置の据付構造において、
前記第三板体は、矩形状の板形状を為し、前記第一板体と前記第二板体との境目に設けた前記ヒンジ部を介して前記第一板体上に重ねられた時に前記第一板体の穴、切り欠き部および吊下用の穴上に重なる位置に前記第一板体の穴より大きい十文字を為す穴、前記第一板体の切り欠き部の開口部側を矩形状に欠落した切り欠き部を形成するとともに２隅部に吊下用の穴付きの設置用の足部を形成し、かつ前記通信装置のスリットに差し込まれる２つの切り起こし片を形成して成る
ことを特徴とする通信装置の据付構造。
【請求項２０】
請求項１０に記載の通信装置の据付構造において、
前記第三板体は、矩形状の板形状を為し、前記第一板体と前記第二板体との境目に設けた前記ヒンジ部を介して前記第一板体上に重ねられた時に前記第一板体の穴、切り欠き部および吊下用の穴上に重なる位置に前記第一板体の穴より大きい十文字を為す穴、前記第一板体の切り欠き部の開口部側を矩形状に欠落した切り欠き部を形成するとともに２隅部に吊下用の穴付きの設置用の足部を形成し、かつ前記切り欠き部および前記２隅部に吊下用の穴付きの設置用の足部がコの字型の切り込み部とこれに連なるヒンジ部を介して両側部に位置し、前記切り欠き部および前記２隅部に吊下用の穴付きの設置用の足部を同一方向に折り曲げることによって前記通信装置のスリットに挿入される２つの切り起こし片を形成して成る
ことを特徴とする通信装置の据付構造。
【発明の詳細な説明】
【技術分野】
【０００１】
本発明は、ＦＴＴＨ（Fiber To The Home)の加入者側に置かれる終端装置（ＯＮＵ：Optical Network Unit）の据付装置および据付構造に関する。
【背景技術】
【０００２】
近年、利用者数が急速に伸びているＦＴＴＨでは、基地局とエンドユーザとを一対一で接続するＳＳ(Single Star)型と、基地局とエンドユーザとを一対Ｎに接続するＰＯＮ（Passive Optical Network)型が採用されている。ＳＳ型は、端末としてメディアコンバータを設置し、一本の光ファイバを一人で専有できる。ＰＯＮ型は、経路の途中に光スプリッタ（光カプラ）を使うことにより光ファイバを分岐し、一本の光ファイバを複数で共有する。何れの場合も、加入者側には終端装置（ＯＮＵ：Optical Network Unit）としてメディアコンバータまたは光スプリッタ（光カプラ）が設置される。
【０００３】
図３８は、従来の壁掛け設置を示す。
先ず、通信装置１００の裏面に設けたねじ穴１０１に、壁掛け用パーツ１１０を小ねじ１１１で固定する。次に、通信装置１００から突出する壁掛け用パーツ１１０を木ねじ１１２で壁面に取り付ける。
図３９は、従来の別の壁掛け設置を示す。
【０００４】
先ず、通信装置１００の裏面に設けた開口部１０２に、壁掛け用パーツ１２０を差し込んで上部を開口部１０２に引っ掛けて固定する。次に、通信装置１００から突出する壁掛け用パーツ１２０を木ねじ１２１で壁面に取り付ける。
図４０は、従来の縦置き設置を示す。
先ず、通信装置１００の底面に縦置き用パーツ１３０を配置する。次に、通信装置１００の裏面に設けたねじ穴１０１に小ねじ１３１で縦置き用パーツ１３０を固定する。
【０００５】
図４１は、従来の別の縦置き設置を示す。
通信装置１００の底面に設けた２つのスタンド１０３をそれぞれ外方に引き出し、通信装置１００を支持する。
なお、例えば、特許文献１，２には、通信装置を壁に取り付ける技術が開示されている。また、特許文献３，４には、携帯電子機器にスタンドを設けた技術が開示されている。
【特許文献１】特開２００３−１３９９６４号公報
【特許文献２】特開２００３−１０１６７０号公報
【特許文献３】特開２０００−３２３８５１号公報
【特許文献３】特開２００１−１４２８５１号公報
【発明の開示】
【発明が解決しようとする課題】
【０００６】
しかし、図３８〜図４１に示す従来装置は、何れも１つの設置状態しか形成することができない。
ところで、設置条件として、平置き設置、縦置き設置、壁掛け設置が指定されている場合、壁掛け用パーツのみまたは壁掛け用、縦置き用パーツを製品に添付しているため、設置形態によっては使わないパーツが発生していた。
【０００７】
別パーツ方式であることにより、（１）設置場所においてパーツを通信装置に取り付ける作業が発生する、（２）出荷時に取り扱う部品点数が増えるため管理および梱包が複雑になる、（３）ユーザ側での余剰パーツの保管が必要となる、等の問題が生じていた。
そのため、加入者側に置かれるＯＮＵは設置環境に合わせて平置き、縦置き、壁掛け等複数の形態に対応できるように設計されていることが求められている。
【０００８】
本発明は、斯かる要望に応えるために為されたもので、その目的は、通信装置の据付において、平置き、縦置き、壁掛けを一つのパーツで対応できる通信装置の据付装置および据付構造を提供することにある。
【課題を解決するための手段】
【０００９】
請求項１の発明は、箱形形状の通信装置に組み付けられて通信装置を据え付ける据付装置において、箱形形状の通信装置の一壁面に取り付けられる複数の保持部と、保持部に係止される穴および切り欠き部と設置用の足部と吊下用の穴とを設けた第一板体と、保持部に係止される穴を設けるとともに第一板体にヒンジ部を介して連絡する第二板体と、保持部に係止される穴および切り欠き部と吊下用の穴付きの設置用の足部とを設けるとともに第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた設置用の足部により通信装置を挟持して通信装置を据え付ける通信装置の縦置き設置、の何れかの設置で組み付けられて通信装置を据え付けることができる。
【００１０】
請求項２の発明は、箱形形状の通信装置に組み付けられて通信装置を据え付ける据付装置において、箱形形状の通信装置の一壁面に取り付けられる複数の保持部および記設置用の足部と、保持部に係止される穴および切り欠き部と吊下用の穴とを設けた第一板体と、保持部に係止される穴および切り欠き部を設けるとともに第一板体にヒンジ部を介して連絡する第二板体と、保持部に係止される穴および切り欠き部と吊下用の穴付きの設置用の足部と切り起こし片とを設けるとともに第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた切り起こし片により通信装置を挟持して通信装置を据え付ける通信装置の縦置き設置、の何れかの設置で組み付けられて通信装置を据え付けることができる。
【００１１】
請求項３の発明は、箱形形状の通信装置に組み付けられて通信装置を据え付ける据付装置において、通信装置の一壁面に取り付けられる複数の保持部および記設置用の足部と、保持部に係止される穴および切り欠き部と吊下用の穴とを設けた第一板体と、保持部に係止される穴および切り欠き部を設けるとともに第一板体にヒンジ部を介して連絡する第二板体と、保持部に係止される穴および切り欠き部と吊下用の穴付きの設置用の足部と切り起こし片とを設けるとともに第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた切り起こし片を通信装置の他壁面の縁部に設けたスリットに挿入して通信装置を据え付ける通信装置の縦置き設置、の何れかの設置で組み付けられて通信装置を据え付けることができる。
【００１２】
請求項４の発明は、箱形形状の通信装置に組み付けられて通信装置を据え付ける据付装置において、通信装置の一壁面に取り付けられる複数の保持部および記設置用の足部と、保持部に係止される穴および切り欠き部と吊下用の穴とを設けた第一板体と、保持部に係止される穴および切り欠き部を設けるとともに第一板体にヒンジ部を介して連絡する第二板体と、保持部に係止される穴および切り欠き部と吊下用の穴付きの設置用の足部と切り起こし片とを設けるとともに第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた切り起こし片を通信装置前の一側面と隣接する他壁面に設けた２つのスリットに挿入して通信装置を据え付ける通信装置の縦置き設置、の何れかの設置で組み付けられて通信装置を据え付けることができる。
【００１３】
請求項５の発明は、箱形形状の通信装置に組み付けられて通信装置を据え付ける据付装置において、通信装置の一壁面に取り付けられる複数の保持部および記設置用の足部と、保持部に係止される穴および切り欠き部と吊下用の穴とを設けた第一板体と、保持部に係止される穴および切り欠き部を設けるとともに第一板体にヒンジ部を介して連絡する第二板体と、保持部に係止される穴を設け、ヒンジ部の折り曲げ時に切り起こし片を突出するように保持部に係止される切り欠き部と吊下用の穴付きの設置用の足部とを切り込み部とヒンジ部とを介して連接するように設け、かつ第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた切り起こし片を通信装置の一側面と隣接する他壁面に設けた２つのスリットに挿入して通信装置を据え付ける通信装置の縦置き設置、の何れかの設置で組み付けられて通信装置を据え付けることができる。
【００１４】
請求項６の発明は、一壁面に複数の保持部を設けた箱形形状の通信装置と、保持部に係止される穴および切り欠き部と設置用の足部と吊下用の穴とを設けた第一板体と、保持部に係止される穴を設けるとともに第一板体にヒンジ部を介して連絡する第二板体と、保持部に係止される穴および切り欠き部と吊下用の穴付きの設置用の足部とを設けるとともに第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた設置用の足部により通信装置を挟持して通信装置を据え付る通信装置の縦置き設置、の何れかの設置で組み付けられて通信装置を据え付けることができる。
【００１５】
請求項７の発明は、一壁面に複数の保持部および記設置用の足部を設けた箱形形状の通信装置と、保持部に係止される穴および切り欠き部と吊下用の穴とを設けた第一板体と、保持部に係止される穴および切り欠き部を設けるとともに第一板体にヒンジ部を介して連絡する第二板体と、保持部に係止される穴および切り欠き部と吊下用の穴付きの設置用の足部と切り起こし片とを設けるとともに第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた切り起こし片により通信装置を挟持して通信装置を据え付ける通信装置の縦置き設置、の何れかの設置で組み付けられて通信装置を据え付けることができる。
【００１６】
請求項８の発明は、一壁面に複数の保持部および記設置用の足部を設けるとともに一側面と隣接する他壁面の縁部に複数のスリットを設けた箱形形状の通信装置と、保持部に係止される穴および切り欠き部と吊下用の穴とを設けた第一板体と、保持部に係止される穴および切り欠き部を設けるとともに第一板体にヒンジ部を介して連絡する第二板体と、保持部に係止される穴および切り欠き部と吊下用の穴付きの設置用の足部と切り起こし片とを設けるとともに第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた切り起こし片を通信装置のスリットに挿入して通信装置を据え付ける通信装置の縦置き設置、の何れかの設置で組み付けられて通信装置を据え付けることができる。
【００１７】
請求項９の発明は、一壁面に複数の保持部および記設置用の足部を設けるとともに一側面と隣接する他壁面に２つのスリットを設けた箱形形状の通信装置と、保持部に係止される穴および切り欠き部と吊下用の穴とを設けた第一板体と、保持部に係止される穴および切り欠き部を設けるとともに第一板体にヒンジ部を介して連絡する第二板体と、保持部に係止される穴および切り欠き部と吊下用の穴付きの設置用の足部と切り起こし片とを設けるとともに第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた切り起こし片を通信装置のスリットに挿入して通信装置を据え付ける通信装置の縦置き設置、の何れかの設置で組み付けられて通信装置を据え付けることができる。
【００１８】
請求項１０の発明は、一壁面に複数の保持部および記設置用の足部を設けるとともに一側面と隣接する他壁面に２つのスリットを設けた箱形形状の通信装置と、保持部に係止される穴および切り欠き部と吊下用の穴とを設けた第一板体と、保持部に係止される穴および切り欠き部を設けるとともに第一板体にヒンジ部を介して連絡する第二板体と、保持部に係止される穴を設け、ヒンジ部の折り曲げ時に切り起こし片を突出するように保持部に係止される切り欠き部と吊下用の穴付きの設置用の足部とを切り込み部とヒンジ部とを介して連接するように設け、かつ第二板体にヒンジ部を介して連絡する第三板体とを備えた据付部材とを備えている。据付部材は、通信装置に対し、（１）ヒンジ部を介して第二板体と第三板体とを第一板体上に重ね合わせるとともに穴および切り欠き部を介して保持部を係止して通信装置の一壁面に取り付け、かつ設置用の足部を介して通信装置を載置する通信装置の平置き設置、（２）ヒンジ部を介して第二板体と第三板体とを第一板体上に重ね合わせるとともに穴および切り欠き部を介して保持部を係止して通信装置の一壁面に取り付け、かつ吊下用の穴を介して固定具により通信装置を壁面に吊り下げる通信装置の壁掛け設置、または、（３）穴および切り欠き部を介して第一板体を保持部を係止して通信装置の一壁面に取り付けるとともにヒンジ部を介して第三板体を一壁面に隣接する別壁面上に重ね合わせ、かつ第三板体に設けた切り起こし片を通信装置のスリットに挿入して通信装置を据え付ける通信装置の縦置き設置、の何れかの設置で組み付けられて通信装置を据え付けることができる。
【００１９】
請求項１１の発明は、請求項６ないし請求項１０の何れか１項に記載の通信装置の据付構造において、保持部は、穴に係止される２つの穴用保持部と、切り欠き部に係止される２つの切り欠き用保持部とを有し、穴用保持部は、一壁面に固定される設置部と、設置部の両側部に設けた舌部とを有し、舌部は、下面側に設置部に向かって下る階段状の段差部を設け、切り欠き部用保持部は、一壁面に固定される設置部と、設置部の一側部に設けた舌部とを有し、舌部は、下面側に設置部に向かって下る階段状の段差部を設け、かつ、穴用保持部の一方を挟んで舌部を対向して一直線上に配置されている。
【００２０】
請求項１２の発明は、請求項６項に記載の通信装置の据付構造において、第一板体は、矩形状の板体本体に、十文字を為す保持部に係止される２つの穴と、板体本体の一端側に位置する穴の一方と対向して板体本体の両側に形成された矩形状の切り欠き部と、穴の他方側に形成されたヒンジ部と、ヒンジ部の両側から板体本体の他端側に向かって切り込まれた切り込み部と、板体本体の一端側の２隅部に設けた吊下用の穴と、板体本体の他端側の２隅部に設けた設置用の足部とを形成して成る。
【００２１】
請求項１３の発明は、請求項６項に記載の通信装置の据付構造において、第二板体は、矩形状の板形状を為し、第一板体との境目に設けたヒンジ部を介して第一板体上に重ねられた時に第一板体の穴上に重なる位置に第一板体の穴より大きい十文字を為す穴を形成して成る。
請求項１４の発明は、請求項６に記載の通信装置の据付構造において、第三板体は、矩形状の板形状を為し、第一板体と第二板体との境目に設けたヒンジ部を介して第一板体上に重ねられた時に第一板体の穴および切り欠き部上に重なる位置に第一板体の穴より大きい十文字を為す穴および第一板体の切り欠き部の開口部側を矩形状に欠落したと同形状の切り欠き部を形成するとともに４隅部に吊下用の穴付きの設置用の足部を形成して成る。
【００２２】
請求項１５の発明は、請求項８ないし請求項１３の何れか１項に記載の通信装置の据付構造において、第一板体は、矩形状の板体本体に、十文字を為す保持部に係止される２つの穴と、板体本体の一端側に位置する穴の一方と対向して板体本体の両側に形成された矩形状の切り欠き部と、穴の他方側に形成されたヒンジ部と、ヒンジ部の両側から板体本体の他端側に向かって切り込まれた切り込み部と、板体本体の一端側の２隅部に設けた吊下用の穴とを形成して成る。
【００２３】
請求項１６の発明は、請求項７ないし請求項１０の何れか１項に記載の通信装置の据付構造において、第二板体は、矩形状の板形状を為し、第一板体との境目に設けたヒンジ部を介して第一板体上に重ねられた時に第一板体の穴および切り欠き部上に重なる位置に第一板体の穴より大きい十文字を為す穴および第一板体の切り欠き部の３倍の幅を有する切り欠き部を形成して成る。
【００２４】
請求項１７の発明は、請求項７に記載の通信装置の据付構造において、第三板体は、矩形状の板形状を為し、第一板体と第二板体との境目に設けたヒンジ部を介して第一板体上に重ねられた時に第一板体の穴、切り欠き部および吊下用の穴上に重なる位置に第一板体の穴より大きい十文字を為す穴、第一板体の切り欠き部と同形状の切り欠き部を形成するとともに２隅部に吊下用の穴付きの設置用の足部を形成し、かつ通信装置の幅と同間隔で４つの切り起こし片を形成して成る。
【００２５】
請求項１８の発明は、請求項８に記載の通信装置の据付構造において、第三板体は、矩形状の板形状を為し、第一板体と第二板体との境目に設けたヒンジ部を介して第一板体上に重ねられた時に第一板体の穴、切り欠き部および吊下用の穴上に重なる位置に第一板体の穴より大きい十文字を為す穴、第一板体の切り欠き部の開口部側を矩形状に欠落した切り欠き部を形成するとともに２隅部に吊下用の穴付きの設置用の足部を形成し、かつ通信装置のスリットに差し込まれる４つの切り起こし片を形成して成る。
【００２６】
請求項１９の発明は、請求項９に記載の通信装置の据付構造において、第三板体は、矩形状の板形状を為し、第一板体と第二板体との境目に設けたヒンジ部を介して第一板体上に重ねられた時に第一板体の穴、切り欠き部および吊下用の穴上に重なる位置に第一板体の穴より大きい十文字を為す穴、第一板体の切り欠き部の開口部側を矩形状に欠落した切り欠き部を形成するとともに２隅部に吊下用の穴付きの設置用の足部を形成し、かつ通信装置のスリットに差し込まれる２つの切り起こし片を形成して成る。
【００２７】
請求項２０の発明は、請求項１０に記載の通信装置の据付構造において、第三板体は、矩形状の板形状を為し、第一板体と第二板体との境目に設けたヒンジ部を介して第一板体上に重ねられた時に第一板体の穴、切り欠き部および吊下用の穴上に重なる位置に第一板体の穴より大きい十文字を為す穴、第一板体の切り欠き部の開口部側を矩形状に欠落した切り欠き部を形成するとともに２隅部に吊下用の穴付きの設置用の足部を形成し、かつ切り欠き部および２隅部に吊下用の穴付きの設置用の足部がコの字型の切り込み部とこれに連なるヒンジ部を介して両側部に位置し、切り欠き部および２隅部に吊下用の穴付きの設置用の足部を同一方向に折り曲げることによって通信装置のスリットに挿入される２つの切り起こし片を形成して成る。
【発明の効果】
【００２８】
本発明によれば、通信装置の平置き設置、縦置き設置、壁掛け設置を一つのパーツで対応することができる。
【発明を実施するための最良の形態】
【００２９】
以下、本発明の実施形態を図面に基づいて説明する。
（第一実施形態）
図１〜図１０は、本発明の第一実施形態に係る通信装置の据付装置および据付構造を示す。
本実施形態に係る通信装置の据付装置は、図１に示す通信装置１の裏面２に取り付けられる合成樹脂製の２つの穴用保持部５Ａ，５Ｂおよび２つの切り欠き用保持部６Ａ，６Ｂと、図２に示す合成樹脂製の据付部材１０とで構成されている。
【００３０】
先ず、２つの穴用保持部５Ａ，５Ｂおよび２つの切り欠き用保持部６Ａ，６Ｂについて説明する。
２つの穴用保持部５Ａ，５Ｂは、矩形状のブロック形状を為し、通信装置１の一壁面２に接着剤によって固定される設置部５ａと、設置部５ａの両側部に設けた舌部５ｂとを有する。舌部５ｂは、下面側に設置部５ａに向かって下る２段の階段状の段差部５ｃを設けている。
【００３１】
２つの切り欠き部用保持部６Ａ，６Ｂは、通信装置１の一壁面２に接着剤によって固定される設置部６ａと、設置部６ａの一側部に設けた舌部６ｂとを有する。舌部６ｂは、下面側に設置部６ａに向かって下る２段の階段状の段差部６ｃを設けている。
そして、段差部５ｃおよび段差部６ｃの各段の高さは、据付部材１０を構成する板体の板厚とほぼ同じにしてある。
【００３２】
次に、据付部材１０について説明する。
据付部材１０は、第一板体１１と、第一板体１１にヒンジ部１１ｅを介して連絡する第二板体１２と、第二板体１２にヒンジ部１２ｂ，１２ｃを介して連絡する第三板体１３とで構成されている。つまり、据付部材１０は、第一板体１１と第二板体１２と第三板体１３とをヒンジ部１１ｅ，１２ｂ，１２ｃを介して折り曲げ自在に一体に形成されている。
【００３３】
第一板体１１は、矩形状の板体本体に、２つの穴用保持部５Ａ，５Ｂに係止される十文字を為す２つの穴１１ａ，１１ｂと、板体本体の一端側に位置する一方の穴１１ａと対向して板体本体の両側に形成され、２つの切り欠き部用保持部６Ａ，６Ｂに係止される矩形状の切り欠き部１１ｃ，１１ｄと、他方の穴１１ｂ側に形成されたヒンジ部１１ｅと、ヒンジ部１１ｅの両側から板体本体の他端側に向かって切り込まれた２つの切り込み部１１ｆ，１１ｇと、板体本体の一端側の２隅部に設けた吊下用の穴１１ｈ，１１ｉと、板体本体の他端側の２隅部に設けた設置用の足部１１ｊ，１１ｋとを設けている。２つの穴１１ａ，１１ｂは、横方向の幅が、２つの穴用保持部５Ａ，５Ｂの外形とほぼ同様の形状を為し、縦方向の幅が、２つの穴用保持部５Ａ，５Ｂの設置部５ａの外形とほぼ同様の形状を為している。そして、２つの穴１１ａ，１１ｂの横方向の長さと縦方向の長さとは同じにしてある。
【００３４】
第二板体１２は、矩形状の板形状を為し、第一板体１１との境目に設けたヒンジ部１１ｅを介して第一板体１１に連絡し、ヒンジ部１１ｅを介して第一板体１１上に重ねられた時に第一板体１１の穴１１ｂ上に重なる位置に第一板体１１の穴１１ｂより大きい十文字を為す穴１２ａを設けている。穴１２ａは、横方向の幅が穴１１ｂの横方向の幅とほぼ等しく、縦方向の幅が穴用保持部５Ｂの設置部５ａに連なる段差部５ｃの下段側の段差部とほぼ同じ幅だけ穴１１ｂの横方向の幅より大きくしてある。また、穴１２ａの形成時に、第三板体１３との境界を形成するために穴１２ａの両側にヒンジ部１２ｂ，１２ｃを形成している。
【００３５】
第三板体１３は、矩形状の板形状を為し、第二板体１２との境目に設けたヒンジ部１２ｂ，１２ｃを介して第二板体１２に連絡し、ヒンジ部１２ｂ，１２ｃ側の端部の長さが第一板体１１と同じ長さを有し、第一板体１１と第二板体１２との境目に設けたヒンジ部１１ｅを介して第二板体１２とともに第一板体１１上に重ねられた時に、第一板体１１の穴１１ａおよび切り欠き部１１ｃ，１１ｄ上に重なる位置に、第一板体１１の穴１１ａより大きい十文字を為す穴１３ａおよび第一板体１１の切り欠き部１１ｆ，１１ｇより大きい階段状の切り欠き部１３ｂ，１３ｃを設けている。穴１３ａは、第二板体１２の穴１２ａと同形状を為している。つまり、横方向の幅が穴１１ａの横方向の幅とほぼ等しく、縦方向の幅が穴用保持部５Ａの設置部５ａに連なる段差部５ｃの下段側の段差部とほぼ同じ幅だけ穴１１ａの横方向の幅より大きくしてある。また、切り欠き部１３ｂ，１３ｃは、第一板体１１の矩形状の切り欠き部１１ｃ，１１ｄの開口端側に２つの切り欠き部用保持部６Ａ，６Ｂの段差部６ｃの下段側の段差部と同幅の矩形状の欠落部が形成されている。また、第三板体１３は、４隅部に設置用の足部１３ｄ，１３ｅ，１３ｆ，１３ｇを設けている。そして、一方の隅部に位置する設置用の足部１３ｄ，１３ｅには、第三板体１３を貫通する吊下用の穴１３ｈ，１３ｉが設けてある。吊り下げ用の穴１３ｈ，１３ｉは、第一板体１１上に重ねられた時に第一板体１１の吊下用の穴１１ｈ，１１ｉ上に重なる位置に設けられている。
【００３６】
斯くして構成された本実施形態に係る通信装置の据付装置は、通信装置１に組み付ける前は、合成樹脂製の２つの穴用保持部５Ａ，５Ｂと、２つの切り欠き用保持部６Ａ，６Ｂと、据付部材１０とを個別に用意している。例えば、通信装置１がメディアコンバータや光スプリッター（光カプラー）の場合は、これらが同時に梱包されている。
そして、通信装置１に組み付ける場合には、その設置形態が平置きか壁掛けか縦置きかによって組み付け方法を異にする。以下にこれらについて具体的に説明する。
【００３７】
（平置きについて）
先ず、図３〜図６に基づいて、平置きについて説明する。
図１に示すように、通信装置１の裏面２に２つの穴用保持部５Ａ，５Ｂおよび２つの切り欠き用保持部６Ａ，６Ｂを接着剤によって取り付ける。２つの穴用保持部５Ａ，５Ｂおよび２つの切り欠き用保持部６Ａ，６Ｂの取付位置は、予め据付部材１０の穴１１ａ，１１ｂ，１２ａ，１３ａおよび切り欠き部１１ｃ，１１ｄ，１３ｂ，１３ｃと合致するように、例えば、予め通信装置１の裏面２に印を付けておくか、あるいは、図３に示すように、第一板体１１上にヒンジ部１１ｅを介して第二板体１２および第三板体１３を重ねた据付部材１０を、通信装置１の裏面２に置き、据付部材１０の穴１１ａ，１１ｂ，１２ａ，１３ａおよび切り欠き部１１ｃ，１１ｄ，１３ｂ，１３ｃの位置に印を付ける等により、正しい位置出しをする。
【００３８】
次に、図２に示す据付部材１０を、図３に示すように、第一板体１１上にヒンジ部１１ｅを介して第二板体１２および第三板体１３を重ねた状態にする。
次に、図４に示すように、図３に示す据付部材１０を通信装置１の裏面２に向かって降ろし、２つの穴用保持部５Ａ，５Ｂおよび２つの切り欠き用保持部６Ａ，６Ｂと、穴１１ａ，１１ｂおよび切り欠き部１１ｃ，１１ｄとが合致する位置で、据付部材１０を通信装置１の裏面２に載置する。
【００３９】
次に、図５に示すように、据付部材１０を矢印Ａ方向にスライドさせる。これに伴い、穴１１ａ，１３ａ、１１ｂ，１２ａに嵌り込んだ２つの穴用保持部５Ａ，５Ｂの舌部６が穴１１ａ，１３ａ、１１ｂ，１２ａから出て第二板体１２および第三板体１３の裏面側に移動し、２つの穴用保持部５Ａ，５Ｂに設けた段差部５ｃ，６ｃの上段側の段差部が第二板体１２および第三板体１３の裏面側に保持される。同時に、切り欠き部１１ｃ，１３ｂ、１１ｄ，１３ｃに嵌り込んだ２つの切り欠き用保持部６Ａ，６Ｂの舌部６が切り欠き部１１ｃ，１３ｂ、１１ｄ，１３ｃから出て第二板体１２および第三板体１３の裏面側に移動し、２つの切り欠き穴用保持部６Ａ，６Ｂに設けた段差部５ｃ，６ｃの上段側の段差部が第二板体１２および第三板体１３の裏面側に保持される。
【００４０】
次に、通信装置１の裏面側を下にして所定の箇所に通信装置１を載置する。この際、据付部材１０に設けた設置用の足部１１ｊ，１１ｋ，１３ｄ，１３ｅ，１３ｆ，１３ｇが通信装置１の足として機能し、通信装置１の平置きを可能とする。
（壁掛けについて）
次に、図７，図８に基づいて、壁掛けについて説明する。
【００４１】
壁掛けには、２つの形態がある。ここでは、平置き状態の説明と同様に、通信装置１の裏面２に２つの穴用保持部５Ａ，５Ｂおよび２つの切り欠き用保持部６Ａ，６Ｂを接着剤によって取り付ける。そして、据付部材１０を、平置きで説明した図４に示す状態に据え付けておく。
先ず、第一の形態では、図７に示すように、据付部材１０を矢印Ｂ方向へスライドさせる。これにより、図８に示すように、第三板体１３の設置用の足部１３ｄ，１３ｅが通信装置１の別の壁面３から突出する。従って、第一板体１１の穴１１ｈ，１１ｉが通信装置１の別の壁面３から突出する。なお、据付部材１０のスライドに伴い、穴１１ａ，１３ａ、１１ｂ，１２ａに嵌り込んだ２つの穴用保持部５Ａ，５Ｂの舌部６が穴１１ａ，１３ａ、１１ｂ，１２ａから出て第二板体１２および第三板体１３の裏面側に移動し、２つの穴用保持部５Ａ，５Ｂに設けた段差部５ｃ，６ｃの上段側の段差部が第二板体１２および第三板体１３の裏面側に保持される。同時に、切り欠き部１１ｃ，１３ｂ、１１ｄ，１３ｃに嵌り込んだ２つの切り欠き用保持部６Ａ，６Ｂの舌部６が切り欠き部１１ｃ，１３ｂ、１１ｄ，１３ｃから出て第二板体１２および第三板体１３の裏面側に移動し、２つの切り欠き穴用保持部６Ａ，６Ｂに設けた段差部５ｃ，６ｃの上段側の段差部が第二板体１２および第三板体１３の裏面側に保持される。
【００４２】
次に、図８に示すように、据付部材１０に設けた設置用の足部１１ｊ，１１ｋ，１３ｄ，１３ｅ，１３ｆ，１３ｇを壁面に押し当てた状態で、木ねじ７，８を穴１１ｈ，１１ｉにねじ込んで通信装置１の壁掛けを可能とする。
次に、第二の形態について説明する。ここでは、図３に示す据付部材１０を先に壁面に取り付け、その後にその据付部材１０に通信装置１を取り付ける。
【００４３】
先ず、据付部材１０に設けた設置用の足部１１ｊ，１１ｋ，１３ｄ，１３ｅ，１３ｆ，１３ｇを壁面に押し当てた状態で、木ねじ７，８を穴１１ｈ，１１ｉにねじ込んで据付部材１０を壁面に固定する。
次に、通信装置１を壁面に固定した据付部材１０に組み付け、通信装置１を下方に向かってスライドさせる。これにより、通信装置１の壁掛けを可能とする。
【００４４】
（縦置きについて）
次に、図９、図１０に基づいて、縦置きについて説明する。
ここでは、平置き状態の説明と同様に、通信装置１の裏面２に２つの穴用保持部５Ａ，５Ｂおよび２つの切り欠き用保持部６Ａ，６Ｂを接着剤によって取り付ける。そして、据付部材１０を、平置きで説明した図４に示す状態に据え付けておく。
【００４５】
先ず、図９に示すように、ヒンジ部１１ｅを介して第二板体１１および第三板体１３を起こし、次に、その状態で、据付部材１０を矢印Ｃ方向にスライドさせる。これに伴い、穴１１ａ，１１ｂに嵌り込んだ２つの穴用保持部５Ａ，５Ｂの舌部６が穴１１ａ，１１ｂから出て第一板体１１の裏面側に移動し、２つの穴用保持部５Ａ，５Ｂに設けた段差部５ｃ，６ｃの下段側の段差部が第一板体１１の裏面側に保持される。同時に、切り欠き部１１ｃ，１１ｄに嵌り込んだ２つの切り欠き用保持部６Ａ，６Ｂの舌部６が切り欠き部１１ｃ，１１ｄから出て第一板体１１の裏面側に移動し、２つの切り欠き穴用保持部６Ａ，６Ｂに設けた段差部５ｃ，６ｃの下段側の段差部が第一板体１１の裏面側に保持される。
【００４６】
次に、図１０に示すように、ヒンジ部１１ｅを介して第二板体１２および第三板体１３を通信装置１の裏面２側に重ね、次に、ヒンジ部１２ｂ，１２ｃを介して第三板体１３を通信装置１の側面３に重ねる。そして、第三板体１３に設けた４つの設置用の足部１３ｄ，１３ｅ，１３ｆ，１３ｇに内側壁面で通信装置１の表面４と裏面２とを挟み付ける。これにより、通信装置１の縦置きを可能とする。
【００４７】
以上のように、本実施形態によれば、通信装置１と、合成樹脂製の２つの穴用保持部５Ａ，５Ｂと、合成樹脂製の２つの切り欠き用保持部６Ａ，６Ｂと、合成樹脂製の据付部材１０とが個別に用意しておき、通信装置１に２つの穴用保持部５Ａ，５Ｂおよび２つの切り欠き用保持部６Ａ，６Ｂを取り付けておけば、通信装置１を平置き設置、壁掛け設置、縦置き設置の何れかを選択することができる。従って、従来のように、平置き設置用のパーツ、縦置き設置用のパーツ、壁掛け設置用のパーツを用意しておく必要が無くなる。
【００４８】
また、据付部材１０は、取り外しが可能であるから、一旦据え付けた据付部材１０を別の設置状態に変更することができる。
（第二実施形態）
図１１〜図２４は、本発明の第二実施形態に係る通信装置の据付装置および据付構造を示す。
【００４９】
本実施形態に係る通信装置の据付装置は、通信装置２０に設置用の足部２７Ａ，２７Ｂを追加した点、および第一板体３１から設置用の足部を除き、第二板体３２に切り欠き部３２ｂ，３２ｃを設け、第三板体３３に切り起こし片３３ｌ，３３ｍ，３３ｎ，３３ｏを設けた据付部材３０とした点で、第一実施形態係る通信装置の据付装置および据付構造とは相違する。
【００５０】
先ず、通信装置２０の裏面２１に取り付けられる合成樹脂製の２つの穴用保持部２５Ａ，２５Ｂおよび２つの切り欠き用保持部２６Ａ，２６Ｂは、第一実施形態における２つの穴用保持部５Ａ，５Ｂおよび２つの切り欠き用保持部６Ａ，６Ｂと同一の構成である。また、設置用の足部２７Ａ，２７Ｂは、第一実施形態において、第一板体１１に設けた設置用の足部１１ｊ，１１ｋと同一構成である。
【００５１】
次に、据付部材３０について説明する。
据付部材３０は、第一板体３１と、第一板体３１にヒンジ部３１ｅを介して連絡する第二板体３２と、第二板体３２にヒンジ部３２ｂ，３２ｃを介して連絡する第三板体３３とで構成されている。つまり、据付部材３０は、第一板体３１と第二板体３２と第三板体３３とをヒンジ部３１ｅ，３２ｂ，３２ｃを介して折り曲げ自在に一体に形成されている。
【００５２】
第一板体３１は、矩形状の板体本体に、２つの穴用保持部２Ａ，２Ｂに係止される十文字を為す２つの穴３１ａ，３１ｂと、板体本体の一端側に位置する一方の穴３１ａと対向して板体本体の両側に形成され、２つの切り欠き部用保持部２６Ａ，２６Ｂに係止される矩形状の切り欠き部３１ｃ，３１ｄと、他方の穴３１ｂ側に形成されたヒンジ部３１ｅと、板体本体の一端側の２隅部に設けた吊下用の穴３１ｆ，３１ｇとを設けている。２つの穴３１ａ，３１ｂは、横方向の幅が、２つの穴用保持部２５Ａ，２５Ｂの外形とほぼ同様の形状を為し、縦方向の幅が、２つの穴用保持部２５Ａ，２５Ｂの設置部２５ａの外形とほぼ同様の形状を為している。そして、２つの穴３１ａ，３１ｂの横方向の長さと縦方向の長さとは同じにしてある。
【００５３】
第二板体３２は、矩形状の板形状を為し、第一板体３１との境目に設けたヒンジ部３１ｅを介して第一板体３１に連絡し、ヒンジ部３１ｅを介して第一板体３１上に重ねられた時に、第一板体３１の穴３１ｂおよび切り欠き部３１ｃ，３１ｄ上に重なる位置に、第一板体３１の穴３１ｂより大きい十文字を為す穴３２ａと切り欠き部３１ｃ，３１ｄの幅方向の大きさが３倍にされた切り欠き部３２ｂ，３２ｃとを設けている。穴３２ａは、横方向の幅が穴３１ｂの横方向の幅とほぼ等しく、縦方向の幅が穴用保持部２５Ｂの設置部２５ａに連なる段差部２５ｃの下段側の段差部とほぼ同じ幅だけ穴３１ｂの横方向の幅より大きくしてある。また、穴３２ａの形成時に、第三板体３３との境界を形成するために穴３２ａの両側にヒンジ部３２ｅ，３２ｆを形成している。
【００５４】
第三板体３３は、矩形状の板形状を為し、ヒンジ部３２ｅ，３２ｆを介して第二板体３２に連絡し、第一板体３１と第二板体３２との境目に設けたヒンジ部３１ｅを介して第二板体３２とともに第一板体３１上に重ねられた時に、第一板体３１の穴３１ａおよび切り欠き部３１ｃ，３１ｄ上に重なる位置に、第一板体３１の穴３１ａより大きい十文字を為す穴３３ａおよび第一板体３１の切り欠き部３１ｃ，３１ｄより大きい階段状の切り欠き部３３ｂ，３３ｃを設けている。穴３３ａは、第二板体３２の穴３２ａと同形状を為している。つまり、横方向の幅が穴３１ａの横方向の幅とほぼ等しく、縦方向の幅が穴用保持部２５Ａの設置部２５ａに連なる段差部２５ｃの下段側の段差部とほぼ同じ幅だけ穴３１ａの横方向の幅より大きくしてある。また、切り欠き部３３ｂ，３３ｃは、第一板体３１の矩形状の切り欠き部３１ｃ，３１ｄの開口端側に２つの切り欠き部用保持部２６Ａ，２６Ｂの段差部２６ｃの下段側の段差部と同幅の矩形状の欠落部が形成されている。また、第三板体３３は、２隅部に設置用の足部３３ｄ，３３ｅを設けている。そして、第三板体３３を貫通する吊下用の穴３３ｊ，３３ｋが設けてある。吊り下げ用の穴３３ｊ，３３ｋは、第一板体３１上に重ねられた時に第一板体３１の吊下用の穴３１ｆ，３１ｇ上に重なる位置に設けられている。さらに、第三板体３３には、穴３３ａの両側に４つの切り起こし片３３ｌ，３３ｍ，３３ｎ，３３ｏがヒンジ部３３ｐ，３３ｑ，３３ｒ，３３ｓを介して設けてある。
【００５５】
斯くして構成された本実施形態に係る通信装置の据付装置は、通信装置２０に組み付ける前は、合成樹脂製の２つの穴用保持部２５Ａ，２５Ｂと、２つの切り欠き用保持部２６Ａ，２６Ｂと、２つの設置用の足部２７Ａ，２７Ｂと、据付部材３０とを個別に用意している。例えば、通信装置２０がメディアコンバータや光スプリッター（光カプラー）の場合は、これらが同時に梱包されている。
【００５６】
そして、通信装置２０に組み付ける場合には、その設置形態が平置きか壁掛けか縦置きかによって組み付け方法を異にする。以下にこれらについて具体的に説明する。
（平置きについて）
先ず、図１３〜図１６に基づいて、平置きについて説明する。
図１１に示すように、通信装置２０の裏面２１に２つの穴用保持部２５Ａ，２５Ｂと、２つの切り欠き用保持部２６Ａ，２６Ｂと、２つの設置用の足部２７Ａ，２７Ｂとを接着剤によって取り付ける。２つの穴用保持部２５Ａ，２５Ｂおよび２つの切り欠き用保持部２６Ａ，２６Ｂの取付位置は、予め据付部材３０の穴３１ａ，３１ｂ，３２ａ，３３ａおよび切り欠き部３１ｃ，３１ｄ，３３ｂ，３３ｃと合致するように、例えば、予め通信装置２０の裏面２１に印を付けておくか、あるいは、図１３に示すように、第一板体３１上にヒンジ部３１ｅを介して第二板体３２および第三板体３３を重ねた据付部材３０を、通信装置２０の裏面２１に置き、据付部材３０の穴３１ａ，３１ｂ，３２ａ，３３ａおよび切り欠き部３１ｃ，３１ｄ，３３ｂ，３３ｃの位置に印を付ける等により、正しい位置出しをする。
【００５７】
次に、図１２に示す据付部材３００を、図１３に示すように、第一板体３１上にヒンジ部３１ｅを介して第二板体３２および第三板体３３を重ねた状態にする。
次に、図１４に示すように、図１３に示す据付部材３０を通信装置２０の裏面２１に向かって降ろし、２つの穴用保持部２５Ａ，２５Ｂおよび２つの切り欠き用保持部２６Ａ，２６Ｂと、穴３１ａ，３１ｂおよび切り欠き部３１ｃ，３１ｄとが合致する位置で、据付部材３０を通信装置２０の裏面２１に載置する。
【００５８】
次に、図１５に示すように、据付部材３０を矢印Ｄ方向にスライドさせる。これに伴い、穴３１ａ，３３ａ、３１ｂ，３２ａに嵌り込んだ２つの穴用保持部２５Ａ，２５Ｂの舌部２６が穴３１ａ，３３ａ、３１ｂ，３２ａから出て第二板体３２および第三板体３３の裏面側に移動し、２つの穴用保持部２５Ａ，２５Ｂに設けた段差部２５ｃ，２６ｃの上段側の段差部が第二板体３２および第三板体３３の裏面側に保持される。同時に、切り欠き部３１ｃ，３３ｂ、３１ｄ，３３ｃに嵌り込んだ２つの切り欠き用保持部２６Ａ，２６Ｂの舌部２６が切り欠き部３１ｃ，３３ｂ、３１ｄ，３３ｃから出て第二板体３２および第三板体３３の裏面側に移動し、２つの切り欠き穴用保持部２６Ａ，２６Ｂに設けた段差部２５ｃ，２６ｃの上段側の段差部が第二板体３２および第三板体３３の裏面側に保持される。
【００５９】
次に、通信装置２０の裏面２１側を下にして所定の箇所に通信装置２０を載置する。この際、通信装置２０の裏面２１に設けた設置用の足部２７Ａ，２７Ｂと、据付部材２０に設けた設置用の足部３３ｄ，３３ｅが通信装置２０の足として機能し、通信装置２０の平置きを可能とする。
（壁掛けについて）
次に、図１７，図１８に基づいて、壁掛けについて説明する。
【００６０】
壁掛けには、２つの形態がある。ここでは、平置き状態の説明と同様に、通信装置２０の裏面２１に２つの穴用保持部２５Ａ，２５Ｂと、２つの切り欠き用保持部２６Ａ，２６Ｂと、設置用の足部２７Ａ，２７Ｂとを接着剤によって取り付ける。そして、据付部材３０を、平置きで説明した図１４に示す状態に据え付けておく。
先ず、第一の形態では、図１７に示すように、据付部材３０を矢印Ｅ方向へスライドさせる。これにより、図１８に示すように、第三板体３３の設置用の足部３３ｄ，３３ｅが通信装置２０の別の壁面２２から突出する。従って、第一板体３１の穴３１ｆ，３１ｇが通信装置２０の別の壁面２２から突出する。なお、据付部材３０のスライドに伴い、穴３１ａ，３３ａ、３１ｂ，３２ａに嵌り込んだ２つの穴用保持部２５Ａ，２５Ｂの舌部２６が穴３１ａ，３３ａ、３１ｂ，３２ａから出て第二板体３２および第三板体３３の裏面側に移動し、２つの穴用保持部２５Ａ，２５Ｂに設けた段差部２５ｃ，２６ｃの上段側の段差部が第二板体３２および第三板体３３の裏面側に保持される。同時に、切り欠き部３１ｃ，３３ｂ、３１ｄ，３３ｃに嵌り込んだ２つの切り欠き用保持部２６Ａ，２６Ｂの舌部２６が切り欠き部３１ｃ，３３ｂ、３１ｄ，３３ｃから出て第二板体３２および第三板体３３の裏面側に移動し、２つの切り欠き穴用保持部２６Ａ，２６Ｂに設けた段差部２５ｃ，２６ｃの上段側の段差部が第二板体３２および第三板体３３の裏面側に保持される。
【００６１】
次に、図１８に示すように、通信装置２０に設けた設置用の足部２７Ａ，２７Ｂと、据付部材２０に設けた設置用の足部３３ｄ，３３ｅを壁面に押し当てた状態で、木ねじ２８，２９を穴３１ｊ，３１ｋにねじ込んで通信装置２０の壁掛けを可能とする。
次に、第二の形態について説明する。ここでは、図１３に示す据付部材３０を先に壁面に取り付け、その後にその据付部材３０に通信装置２０を取り付ける。
【００６２】
先ず、通信装置２０に設けた設置用の足部２７Ａ，２７Ｂと、据付部材３０に設けた設置用の足部３３ｊ，３３ｋとを壁面に押し当てた状態で、木ねじ２７，２８を穴３１ｊ，３１ｋにねじ込んで据付部材３０を壁面に固定する。
次に、通信装置２０を壁面に固定した据付部材３０に組み付け、通信装置２０を下方に向かってスライドさせる。これにより、通信装置２０の壁掛けを可能とする。
【００６３】
（縦置きについて）
次に、図１９〜図２４に基づいて、縦置きについて説明する。
ここでは、平置き状態の説明と同様に、通信装置２０の裏面２１に２つの穴用保持部２５Ａ，２５Ｂと、２つの切り欠き用保持部２６Ａ，２６Ｂと、設置用の足部２７Ａ，２７Ｂとを接着剤によって取り付ける。そして、据付部材３０を、平置きで説明した図１４に示す状態に据え付けておく。
【００６４】
先ず、図１９に示すように、ヒンジ部３１ｅを介して第二板体３２および第三板体３３を起こし、次に、その状態で、据付部材３０を矢印Ｆ方向にスライドさせる。これに伴い、穴３１ａ，３１ｂに嵌り込んだ２つの穴用保持部２５Ａ，２５Ｂの舌部２６が穴３１ａ，３１ｂから出て第一板体３１の裏面側に移動し、２つの穴用保持部２５Ａ，２５Ｂに設けた段差部２５ｃ，２６ｃの下段側の段差部が第一板体３１の裏面側に保持される。同時に、切り欠き部３１ｃ，３１ｄに嵌り込んだ２つの切り欠き用保持部２６Ａ，２６Ｂの舌部２６が切り欠き部３１ｃ，３１ｄから出て第一板体３１の裏面側に移動し、２つの切り欠き穴用保持部２６Ａ，２６Ｂに設けた段差部２５ｃ，２６ｃの下段側の段差部が第一板体３１の裏面側に保持される。
【００６５】
次に、図２０、図２１に示すように、ヒンジ部３１ｅを介して第二板体３２および第三板体３３を通信装置２０の裏面２１側に重ね、次に、ヒンジ部３２ｄ，３２ｅを介して第三板体３３を通信装置２０の側面２２に重ねる。そして、図２２〜図２４に示すように、第三板体３３に設けた切り起こし片３３ｌ，３３ｍ，３３ｎ，３３ｏをヒンジ部３３ｐ，３３ｑ，３３ｒ，３３ｓを介して同一方向に起こし通信装置２０の表面２３と裏面２１とを挟み付ける。これにより、通信装置２０の縦置きを可能とする。
【００６６】
以上のように、本実施形態によれば、通信装置２０と、合成樹脂製の２つの穴用保持部２５Ａ，２５Ｂと、合成樹脂製の２つの切り欠き用保持部２６Ａ，２６Ｂと、合成樹脂製の２つの設置用の足部２７Ａ，２７Ｂと、合成樹脂製の据付部材３０とを個別に用意しておき、通信装置２０に２つの穴用保持部２５Ａ，２５Ｂと、２つの切り欠き用保持部２６Ａ，２６Ｂと、２つの設置用の足部２７Ａ，２７Ｂとを取り付けておけば、通信装置２０を平置き設置、壁掛け設置、縦置き設置の何れかを選択することができる。従って、従来のように、平置き設置用のパーツ、縦置き設置用のパーツ、壁掛け設置用のパーツを用意しておく必要が無くなる。
【００６７】
また、据付部材３０は、取り外しが可能であるから、一旦据え付けた据付部材３０を別の設置状態に変更することができる。
（第三実施形態）
本実施形態に係る通信装置の設置装置および設置構造は、通信装置４０の側面に４つのスリット４２ａ，４２ｂ，４２ｃ，４２ｄを設けるとともにこの４つのスリット４２ａ，４２ｂ，４２ｃ，４２ｄに据付部材３０の切り起こし片３３ｌ，３３ｍ，３３ｎ，３３ｏを挿入するようにした点で、第二実施形態に係る通信装置の設置装置および設置構造とは相違する。
【００６８】
従って、第二実施形態に係る通信装置の設置装置および設置構造と相違する点について説明し、その他の構成については同一の符号を付してその説明を省略する。
図２５に示すように、通信装置４０の裏面４１に隣接する壁面４２には、裏面４１と表面４３との境目側に、据付部材３０の４つの切り起こし片３３ｌ，３３ｍ，３３ｎ，３３ｏを差し込むための４つのスリット４２ａ，４２ｂ，４２ｃ，４２ｄが設けてある。
【００６９】
斯くして構成された本実施形態に係る通信装置の据付装置は、通信装置４０に組み付ける前は、合成樹脂製の２つの穴用保持部２５Ａ，２５Ｂと、２つの切り欠き用保持部２６Ａ，２６Ｂと、２つの設置用の足部２７Ａ，２７Ｂと、据付部材３０とを個別に用意している。例えば、通信装置４０がメディアコンバータや光スプリッター（光カプラー）の場合は、これらが同時に梱包されている。
【００７０】
そして、通信装置４０に組み付ける場合には、その設置形態が平置きか壁掛けか縦置きかによって組み付け方法を異にする。以下にこれらについて具体的に説明する。
なお、平置き設置および壁掛け設置は、第二実施形態と同様であるので、その説明を省略する。
（縦置きについて）
次に、図２６〜図３１に基づいて、縦置きについて説明する。
【００７１】
第二実施形態と同様に、通信装置４０の裏面４１に２つの穴用保持部２５Ａ，２５Ｂと、２つの切り欠き用保持部２６Ａ，２６Ｂと、設置用の足部２７Ａ，２７Ｂとを接着剤によって取り付ける。そして、据付部材３０を、第二実施形態の図１９に示す状態と同様に通信装置４０の裏面４１に据え付けておく。
次に、図２６、図２７に示すように、第三板体３３に設けた切り起こし片３３ｌ，３３ｍ，３３ｎ，３３ｏを起こして、ヒンジ部３２ｄ，３２ｅを介して第三板体３３を通信装置４０の側面４２に重ねながら通信装置４０の４つのスリット４２ａ，４２ｂ，４２ｃ，４２ｄに切り起こし片３３ｌ，３３ｍ，３３ｎ，３３ｏを差し込む。そして、第三板体３３を通信装置４０の壁面４２に固定する。これにより、図２８に示すように、通信装置２０の縦置きを可能とする。
【００７２】
以上のように、本実施形態によれば、壁面に４つのスリット４２ａ，４２ｂ，４２ｃ，４２ｄを設けた通信装置４０と、合成樹脂製の２つの穴用保持部２５Ａ，２５Ｂと、合成樹脂製の２つの切り欠き用保持部２６Ａ，２６Ｂと、合成樹脂製の２つの設置用の足部２７Ａ，２７Ｂと、合成樹脂製の据付部材３０とを個別に用意しておき、通信装置４０に２つの穴用保持部２５Ａ，２５Ｂと、２つの切り欠き用保持部２６Ａ，２６Ｂと、２つの設置用の足部２７Ａ，２７Ｂとを取り付けておけば、通信装置４０を平置き設置、壁掛け設置、縦置き設置の何れかを選択することができる。従って、従来のように、平置き設置用のパーツ、縦置き設置用のパーツ、壁掛け設置用のパーツを用意しておく必要が無くなる。
【００７３】
また、据付部材３０は、取り外しが可能であるから、一旦据え付けた据付部材３０を別の設置状態に変更することができる。
（第四実施形態）
本実施形態に係る通信装置の設置装置および設置構造は、通信装置５０の側面５２に２つのスリット５２ａ，５２ｂを設けるとともにこの２つのスリット５２ａ，５２ｂを設けた点、および据付部材６０に２つのスリット５２ａ，５２ｂに挿入する切り起こし片６１ａ，６１ｂを設けた点で、第三実施形態に係る通信装置の設置装置および設置構造とは相違する。
【００７４】
従って、第三実施形態に係る通信装置の設置装置および設置構造と相違する点について説明し、その他の構成については同一の符号を付してその説明を省略する。
通信装置５０は、図２９に示すように、側面５２に２つのスリット５２ａ，５２ｂを設けている。
据付部材６０は、図３０に示すように、第三板体３３の長手方向に２つの切り起こし片６１ａ，６１ｂをヒンジ部６１ｃ，６１ｄを介して設けている。その他の構成は、図１２に示す据付部材３０と同じである。
【００７５】
斯くして構成された本実施形態に係る通信装置の据付装置は、通信装置５０に組み付ける前は、合成樹脂製の２つの穴用保持部２５Ａ，２５Ｂと、２つの切り欠き用保持部２６Ａ，２６Ｂと、２つの設置用の足部２７Ａ，２７Ｂと、据付部材６０とを個別に用意している。例えば、通信装置５０がメディアコンバータや光スプリッター（光カプラー）の場合は、これらが同時に梱包されている。
【００７６】
そして、通信装置５０に組み付ける場合には、その設置形態が平置きか壁掛けか縦置きかによって組み付け方法を異にする。以下にこれらについて具体的に説明する。
なお、平置き設置および壁掛け設置は、第二実施形態と同様であるので、その説明を省略する。
（縦置きについて）
次に、図３１、図３２に基づいて、縦置きについて説明する。
【００７７】
第二実施形態と同様に、通信装置５０の裏面５１に２つの穴用保持部２５Ａ，２５Ｂと、２つの切り欠き用保持部２６Ａ，２６Ｂと、設置用の足部２７Ａ，２７Ｂとを接着剤によって取り付ける。そして、据付部材６０を、第二実施形態の図１９に示す状態と同様に通信装置５０の裏面５１に据え付けておく。
次に、図３１、図３２に示すように、第三板体３３に設けた切り起こし片６１ａ，６１ｂを起こして、ヒンジ部３２ｄ，３２ｅを介して第三板体３３を通信装置５０の側面５２に重ねながら通信装置５０の２つのスリット５２ａ，５２ｂに切り起こし片６１ａ，６１ｂを差し込む。そして、第三板体３３を通信装置５０の壁面５２に固定する。これにより、通信装置５０の縦置きを可能とする。
【００７８】
以上のように、本実施形態によれば、壁面に２つのスリット５１ａ，５１ｂを設けた通信装置５０と、合成樹脂製の２つの穴用保持部２５Ａ，２５Ｂと、合成樹脂製の２つの切り欠き用保持部２６Ａ，２６Ｂと、合成樹脂製の２つの設置用の足部２７Ａ，２７Ｂと、合成樹脂製の据付部材６０とを個別に用意しておき、通信装置５０に２つの穴用保持部２５Ａ，２５Ｂと、２つの切り欠き用保持部２６Ａ，２６Ｂと、２つの設置用の足部２７Ａ，２７Ｂとを取り付けておけば、通信装置５０を平置き設置、壁掛け設置、縦置き設置の何れかを選択することができる。従って、従来のように、平置き設置用のパーツ、縦置き設置用のパーツ、壁掛け設置用のパーツを用意しておく必要が無くなる。
【００７９】
また、据付部材６０は、取り外しが可能であるから、一旦据え付けた据付部材６０を別の設置状態に変更することができる。
（第五実施形態）
本実施形態に係る通信装置の設置装置および設置構造は、据付部材７０に縦置き時に第三板体３３にスタンドオフを設ける機能を付加した点で、第四実施形態に係る通信装置の設置装置および設置構造とは相違する。
【００８０】
図３３は、据付部材７０を示す。ここで、第一板体７１は第二実施形態の第一板体３１と同形状を為している。第二板体７２は第二実施形態の第二板体３２の切り欠き部３２ｂ，３２ｃを設けた部位を第三板体３３との境界を為すヒンジ部３２ｄ，３２ｅまで延長した切り欠き部７２ｂ，７２ｃとしている。
第三板体７３は、矩形状の板形状を為し、第一板体７１と第二板体７２との境目に設けたヒンジ部３１ｅを介して第一板体７１上に重ねられた時に、第一板体７１の穴３１ａ、切り欠き部３１ｃ，３１ｄおよび吊下用の穴３１ｆ，３１ｇ上に重なる位置に第一板体７１の穴３１ａより大きい十文字を為す穴７３ａ、第一板体７１の切り欠き部３１ｃ，３１ｄの開口部側を矩形状に欠落した切り欠き部７３ｂ，７３ｃを形成するとともに２隅部に吊下用の穴７３ｄ，７３ｅを設けた設置用の足部７３ｆ，７３ｇを形成している。切り欠き部７３ｂ，７３ｃおよび設置用の足部７３ｆ，７３ｇは、穴７３ａ側に突出するコの字型の切り込み部７３ｈ，７３ｉとこれに連なるヒンジ部７３ｊ，７３ｋ、７３ｌ，７３ｍを介して第三板体７３の両側部に位置している。ヒンジ部７３ｊ，７３ｋ、７３ｌ，７３ｍは、第二板体７２の切り欠き部７２ｂ，７２ｃの延長線上に位置する。切り欠き部７３ｂ，７３ｃおよび設置用の足部７３ｆ，７３ｇは、山折りすることによってコの字型の切り込み部７３ｈ，７３ｉまで延長している壁面が通信装置５０のスリット５２ａ，５２ｂに挿入される２つの切り起こし片７３ｏ，７３ｐを形成する。
【００８１】
斯くして構成された本実施形態に係る通信装置の据付装置は、通信装置５０に組み付ける前は、合成樹脂製の２つの穴用保持部２５Ａ，２５Ｂと、２つの切り欠き用保持部２６Ａ，２６Ｂと、２つの設置用の足部２７Ａ，２７Ｂと、据付部材７０とを個別に用意している。例えば、通信装置５０がメディアコンバータや光スプリッター（光カプラー）の場合は、これらが同時に梱包されている。
【００８２】
そして、通信装置５０に組み付ける場合には、その設置形態が平置きか壁掛けか縦置きかによって組み付け方法を異にする。以下にこれらについて具体的に説明する。
なお、平置き設置および壁掛け設置は、第二実施形態と同様であるので、その説明を省略する。
（縦置きについて）
次に、図３４〜図３７に基づいて、縦置きについて説明する。
【００８３】
第二実施形態と同様に、通信装置５０の裏面５１に２つの穴用保持部２５Ａ，２５Ｂと、２つの切り欠き用保持部２６Ａ，２６Ｂと、設置用の足部２７Ａ，２７Ｂとを接着剤によって取り付ける。そして、据付部材７０を、第二実施形態の図１９に示す状態と同様に通信装置５０の裏面５１に据え付けておく。
次に、図３４〜図３７に示すように、第三板体７３に設けた切り起こし片７３ｏ，７３ｐを起こして、ヒンジ部３２ｄ，３２ｅを介して第三板体７３を通信装置５０の側面５２に重ねながら通信装置５０の２つのスリット５２ａ，５２ｂに切り起こし片７３ｏ，７３ｐを差し込む。そして、第三板体７３を通信装置５０の壁面５２に固定する。これにより、通信装置５０の縦置きを可能とする。この際、切り欠き部７３ｂ，７３ｃおよび設置用の足部７３ｆ，７３ｇを設けた第三板体７３の両端部が足（スタンドオフ）として機能する。
【００８４】
以上のように、本実施形態によれば、壁面に２つのスリット５１ａ，５１ｂを設けた通信装置５０と、合成樹脂製の２つの穴用保持部２５Ａ，２５Ｂと、合成樹脂製の２つの切り欠き用保持部２６Ａ，２６Ｂと、合成樹脂製の２つの設置用の足部２７Ａ，２７Ｂと、合成樹脂製の据付部材７０とを個別に用意しておき、通信装置５０に２つの穴用保持部２５Ａ，２５Ｂと、２つの切り欠き用保持部２６Ａ，２６Ｂと、２つの設置用の足部２７Ａ，２７Ｂとを取り付けておけば、通信装置５０を平置き設置、壁掛け設置、縦置き設置の何れかを選択することができる。従って、従来のように、平置き設置用のパーツ、縦置き設置用のパーツ、壁掛け設置用のパーツを用意しておく必要が無くなる。
【００８５】
また、据付部材７０は、取り外しが可能であるから、一旦据え付けた据付部材７０を別の設置状態に変更することができる。
【図面の簡単な説明】
【００８６】
【図１】本発明の第一実施形態における通信装置の斜視図である。
【図２】本発明の第一実施形態における据付部材の展開図である。
【図３】本発明の第一実施形態における据付部材の据付前の状態を示す説明図である。
【図４】本発明の第一実施形態における据付部材を通信装置に据え付ける前の状態を示す説明図である。
【図５】本発明の第一実施形態における据付部材により平置き設置する前の状態を示す説明図である。
【図６】本発明の第一実施形態における据付部材により平置き設置した状態を示す斜視図である。
【図７】本発明の第一実施形態における据付部材により壁掛け設置する前の状態を示す説明図である。
【図８】本発明の第一実施形態における据付部材により壁掛け設置した状態を示す斜視図である。
【図９】本発明の第一実施形態における据付部材により縦置き設置する前の状態を示す説明図である。
【図１０】本発明の第一実施形態における据付部材により縦置き設置した状態を示す斜視図である。
【図１１】本発明の第二実施形態における通信装置の斜視図である。
【図１２】本発明の第二実施形態における据付部材の展開図である。
【図１３】本発明の第二実施形態における据付部材の据付前の状態を示す説明図である。
【図１４】本発明の第二実施形態における据付部材を通信装置に据え付ける前の状態を示す説明図である。
【図１５】本発明の第二実施形態における据付部材により平置き設置する前の状態を示す説明図である。
【図１６】本発明の第二実施形態における据付部材により平置き設置した状態を示す斜視図である。
【図１７】本発明の第二実施形態における据付部材により壁掛け設置する前の状態を示す説明図である。
【図１８】本発明の第二実施形態における据付部材により壁掛け設置した状態を示す斜視図である。
【図１９】本発明の第二実施形態における据付部材により縦置き設置する前の状態を示す説明図である。
【図２０】本発明の第二実施形態における据付部材により縦置き設置する前の状態を示す斜視図である。
【図２１】本発明の第二実施形態における据付部材により縦置き設置する前の状態を示す斜視図である。
【図２２】本発明の第二実施形態における据付部材により縦置き設置できる状態を示す斜視図である。
【図２３】本発明の第二実施形態における据付部材により縦置き設置できる状態を示す斜視図である。
【図２４】本発明の第二実施形態における据付部材により縦置き設置した状態を示す斜視図である。
【図２５】本発明の第三実施形態における通信装置の斜視図である。
【図２６】本発明の第三実施形態における据付部材により縦置き設置する状態を示す説明図である。
【図２７】本発明の第三実施形態における据付部材により縦置き設置する状態を示す説明図である。
【図２８】本発明の第三実施形態における据付部材により縦置き設置した状態を示す斜視図である。
【図２９】本発明の第四実施形態における通信装置の斜視図である。
【図３０】本発明の第四実施形態における据付部材の展開図である。
【図３１】本発明の第四実施形態における据付部材により縦置き設置する状態を示す説明図である。
【図３２】本発明の第四実施形態における据付部材により縦置き設置する状態を示す説明図である。
【図３３】本発明の第五実施形態における据付部材の展開図である。
【図３４】本発明の第五実施形態における据付部材により縦置き設置する前の状態を示す説明図である。
【図３５】本発明の第五実施形態における据付部材により縦置き設置する状態を示す説明図である。
【図３６】本発明の第五実施形態における据付部材により縦置き設置する状態を示す説明図である。
【図３７】本発明の第五実施形態における据付部材により縦置き設置した状態を示す斜視図である。
【図３８】従来の壁掛け設置を示す説明図である。
【図３９】従来の別の壁掛け設置を示す説明図である。
【図４０】従来の縦置き設置を示す説明図である。
【図４１】従来の別の縦置き設置を示す説明図である。
【符号の説明】
【００８７】
１，２０，４０  通信装置
２，２１，４１  裏面
３，２３，４３  壁面
４，２４，４４  表面
５Ａ，５Ｂ，２５Ａ，２５Ｂ  穴用保持部
５ａ，６ａ，２５ａ，２５ｂ  設置部
５ｂ，６ｂ，２５ｂ，２６ｂ  舌部
５ｃ，６ｃ，２５ｃ，２６ｃ  段差部
６Ａ，６Ｂ，２６Ａ，２６Ｂ  切り欠き用保持部
１０，３０，６０，７０  据付部材
１１，３１，７１  第一板体
１１ａ，１１ｂ，１２ａ，１３ａ，３１ａ，３１ｂ，３２ａ，３３ａ，７３ａ  穴
１１ｃ，１１ｄ，１３ｂ，１３ｃ，３１ｃ，３１ｄ，３２ｂ，３２ｃ，３３ｂ，３３ｃ，７２ｂ，７２ｃ，７３ｂ，７３ｃ  切り欠き部
１１ｅ，１２ｂ，１２ｃ，３１ｅ，３２ｅ，３２ｆ，３３ｐ，３３ｑ，３３ｒ，３３ｓ，７３ｊ，７３ｋ、７３ｌ，７３ｍ  ヒンジ部
１１ｆ，１１ｇ  切り込み部
１１ｈ，１１ｉ，１３ｈ，１３ｉ，３１ｆ，３１ｇ，３３ｊ，３３ｋ，７３ｄ，７３ｅ  吊下用の穴
１１ｊ，１１ｋ，１３ｄ，１３ｅ，１３ｆ，１３ｇ，２７Ａ，２７Ｂ，３３ｄ，３３ｅ，７３ｆ，７３ｇ  設置用の足部
１２，３２，７２  第二板体
１３，３３，７３  第三板体
３３ｌ，３３ｍ，３３ｎ，３３ｏ，６１ａ，６１ｂ，７３ｏ，７３ｐ  切り起こし片
４２ａ，４２ｂ，４２ｃ，４２ｄ，５２ａ，５２ｂ  スリット
７３ｈ，７３ｉ  コの字型の切り込み部
【図１】
2006237353.tif 000003
【図２】
2006237353.tif 000004
【図３】
2006237353.tif 000005
【図４】
2006237353.tif 000006
【図５】
2006237353.tif 000007
【図６】
2006237353.tif 000008
【図７】
2006237353.tif 000009
【図８】
2006237353.tif 000010
【図９】
2006237353.tif 000011
【図１０】
2006237353.tif 000012
【図１１】
2006237353.tif 000013
【図１２】
2006237353.tif 000014
【図１３】
2006237353.tif 000015
【図１４】
2006237353.tif 000016
【図１５】
2006237353.tif 000017
【図１６】
2006237353.tif 000018
【図１７】
2006237353.tif 000019
【図１８】
2006237353.tif 000020
【図１９】
2006237353.tif 000021
【図２０】
2006237353.tif 000022
【図２１】
2006237353.tif 000023
【図２２】
2006237353.tif 000024
【図２３】
2006237353.tif 000025
【図２４】
2006237353.tif 000026
【図２５】
2006237353.tif 000027
【図２６】
2006237353.tif 000028
【図２７】
2006237353.tif 000029
【図２８】
2006237353.tif 000030
【図２９】
2006237353.tif 000031
【図３０】
2006237353.tif 000032
【図３１】
2006237353.tif 000033
【図３２】
2006237353.tif 000034
【図３３】
2006237353.tif 000035
【図３４】
2006237353.tif 000036
【図３５】
2006237353.tif 000037
【図３６】
2006237353.tif 000038
【図３７】
2006237353.tif 000039
【図３８】
2006237353.tif 000040
【図３９】
2006237353.tif 000041
【図４０】
2006237353.tif 000042
【図４１】
2006237353.tif 000043